(57)【要約】【課題】  本発明は地すべり土塊内に、地表及び集水井内から拡径ボーリング孔を仰角に掘削し、共通中心線上の多数の透水多孔外管の継ぎ目部に設けた吸水膨張ゴム(パッカー)により透水性多孔外管に水を導入する堰を形成し、地下水排水効率を向上することを目的とする。【解決手段】  複数の多孔外管１を接続内管２により共通中心線ｃ上に接続し、上記接続内管２の中程外周には水膨張ゴム３を嵌装し、上記接続内管２に一端部を嵌装させた無孔内管４の他端部を下流側接続内管２の入口２’に間隔Ｔを介して開口４’し、上記多孔外管１と無孔内管４との間に集水間隙ｔを介在させてなる地下水集水多重管。【選択図】図１
2008045271.tif 000002
【特許請求の範囲】
【請求項１】
複数の多孔外管を接続内管により共通中心線上に接続し、
上記接続内管の中程外周には水膨張ゴムを嵌装し、
上記接続内管に一端部を嵌装させた無孔内管の他端部を下流側接続内管の入口に間隔を介して開口し、
上記多孔外管と無孔内管との間に集水間隙を介在させてなる地下水集水多重管。
【請求項２】
接続内管の一側部の外周と多孔外管の一端部内周とを螺合し、
接続内管の他側部の外周に多孔外管の他端部内周を嵌合し、
接続内管の上記他側部内周に無孔内管を嵌合し、
該無孔内管と上記多孔外管との間に集水間隙を保持した請求項１記載の地下水集水多重管。
【請求項３】
上記接続内管の中程外周に２個の環状突条を突設し、
該突条の外径が上記多孔外管の外径と均等であり、
上記突条間に上記水膨張ゴムを嵌装した請求項１又は２記載の地下水集水多重管。
【発明の詳細な説明】
【技術分野】
【０００１】
本発明は土木用多重管による地下水排除又は地下水集水装置に関するものである。
【背景技術】
【０００２】
地下水排除装置は地すべり対策工において重要な装置であり、地表から地すべり地帯に向って上向勾配に拡径ボーリングを施し、
【０００３】
不透水性拡径ケーシングを残留し、該ケーシング内に透水性外管、不透水性内管及び漏斗状接続管による多重管を挿入した後、上記不透水性拡径ケーシングを地表外に牽引排出させて上記多重管を地中に残留させるものであった(例えば特許文献１)。
【０００４】
しかし漏斗状接続管の上端と透水性外管との拡径段を越えて地下水が流下し止水堰を形成し難く孔壁からの出水は拡径段を越えて流下し、漏斗状接続管内に充分出水を捕集し難く、漏斗状接続管の外周を越えて流下し透水性外管の内外を詰まらせ延いては上記多重管を泥土又は土砂で詰まらせるおそれがあった。
【０００５】
そこで上記漏斗状接続管の拡径端に摺動防止用リングを設け、土砂及び水の流下を堰止め、透水性外管内に水分のみ流入させる試みがなされた(例えば特許文献２)。
【０００６】
しかし上記不透水性拡径ケーシングを孔外に引抜いた後は孔壁が露出し、孔壁と透水性外管との間の空間を土砂で詰まらせるばかりか、上記不透水性拡径ケーシングの孔外への引抜き作業を要した(例えば特許文献２)。
【０００７】
不透水性拡径ケーシングを孔外に引抜いた後、透水性多孔ケーシングを該拡径ボーリング孔に嵌入して該拡径孔壁をシールして透水性拡径孔を形成し、この透水性拡径孔内に上記多重管を嵌装し、さらに漏斗状集水継手の外周に水膨張性環状ゴムシールによるパッカーを設け、止水堰を形成し、水を止めてこれを漏斗状集水継手に誘導し、さらに不透水性内管に流入させる装置が考案された(例えば特許文献３)。
【０００８】
しかし不透水性内管の内径が小さくかつ２重の流水間隙Ｔ，ｔを必要とし、それぞれの径方向間隙が大であるため集水効率が小であり、しかも透水性多孔ケーシングを拡径不透水性ケーシングを孔外に引抜いた後、当該透水性多孔ケーシングを再挿入する工程を要し、作業期間と、無駄な多孔ケーシングを必要とした(例えば特許文献３)。
【特許文献１】特開昭６１−１７９９１２号
【特許文献２】特開平６−８８３３５号
【特許文献３】特許第２７７７３４６号
【発明の開示】
【発明が解決しようとする課題】
【０００９】
本発明は地表部及び集水井内から地すべり土塊内に拡径ボーリング孔を仰角に掘削し、拡径不透水性ケーシングの引抜き及び拡径透水ケーシングの挿入工事を省略し拡径ボーリング後短期間に該ボーリング孔内に地下水集水多重管を嵌合し、かつ共通中心線上の多数の透水多孔外管の継ぎ目部に設けた吸水膨張ゴム(パッカー)により透水性多孔外管に水を導入する堰を形成し、地下水排水効率を向上することを目的とする。
【課題を解決するための手段】
【００１０】
上記の目的を達成するため本発明は
第１に複数の多孔外管を接続内管により共通中心線上に接続し、上記接続内管の中程外周には水膨張ゴムを嵌装し、上記接続内管に一端部を嵌装させた無孔内管の他端部を下流側接続内管の入口に間隔を介して開口し、上記多孔外管と無孔内管との間に集水間隙を介在させてなる地下水集水多重管、
第２に接続内管の一側部の外周と多孔外管の一端部内周とを螺合し、接続内管の他側部の外周に多孔外管の他端部内周を嵌合し、接続内管の上記他側部内周に無孔内管を嵌合し、該無孔内管と上記多孔外管との間に集水間隙を保持した上記第１発明記載の地下水集水多重管、
第３に上記接続内管の中程外周に２個の環状突条を突設し、該突条の外径が上記多孔外管の外径と均等であり、上記突条間に上記水膨張ゴムを嵌装した上記第１又は第２発明記載の地下水集水多重管、
によって構成される。
【００１１】
従ってコンクリート等で強化した地盤切取面から上向勾配に安定地盤に向けて拡径ボーリングを施工する。
【００１２】
その後ボーリングロッド及び拡径ケーシングを拡径ボーリング孔から引抜いた後、該ボーリング孔径とほぼ同外径よりやや小外径の先端コーン付透水性多孔外管を挿入し、
【００１３】
先端コーン付透水性多孔外管の下流側内周に、接続内管と透水性外管と無孔内管で１セットとなった多重管の上流側の端にある接続内管の外周を嵌合させて共通中心線上に接続しながら上記拡径ボーリング内に嵌入させる。
【００１４】
このようにして拡径ボーリング壁に上記多数の多孔外管の外周を上記共通中心線上に接続させることができる。
【００１５】
上記接続嵌入作業に際して透水性多孔外管の下流側内周に接続内管の上流側外周を螺合し、該無孔内管の下流開口端を下流側接続内管の入口に流入間隔を介して開口する。
【００１６】
このように形成すると透水性多孔外管と不透水性無孔内管との間に上記流入間隔に通じる集水間隙を介在させることができる。
【発明の効果】
【００１７】
本発明は上述のように構成したので拡径ボーリング孔施工後、直接透水性多孔内外管及び接続内管を共通中心線上に上記拡径ボーリング孔内に装入し得て、透水性外管の接続部において水膨張ゴムによる地水堰によって地下水を上流側の透水性外管を経て下流側不透水性内管内に導入し、地下水の集水性を向上し得る効果がある。
【発明を実施するための最良の形態】
【００１８】
共通中心線ｃと平行な複数のスリット１’を穿設した複数の透水性多孔外管１，１のそれぞれ下流側に雌ネジ１”を形成し、
【００１９】
これを接続内管２の上流側に形成した雄ネジ２”（丸ネジ）と螺合し、該接続内管２の下流側外面に透水性多孔外管１の上流側内面を嵌合させて複数の外径同一の透水性多孔外管１，１を地表面及び集水井内から上向勾配に地すべり土塊９に向けて穿設した拡径ボーリング孔１０内に順次嵌入する。
【００２０】
接続内管２の下流側外周と透水性多孔外管１の上流側内周とを雌雄ネジで螺合により接続することも可能である。
【００２１】
接続内管４の中程には２個の環状突条５，５を突設し、これらの外径を上下流側の透水性多孔外管１，１のそれぞれ外径と均等に形成し、該突条５，５間に水膨張ゴム３（によるパット）を嵌装し、細リング３’で止める。
【００２２】
接続内管２の下流側内周には不透水性無孔内管４の上流側（一端部）外周を嵌装支持し、該内管４の下流側（他端部）開口部を下流側接続内管２の上流側入口２’に間隔Ｔを介して開口４’し、
【００２３】
該間隔Ｔに上流側にある透水性多孔外管１と不透水性無孔内管４との間の集水間隙ｔを連通させる。
【００２４】
上記集水間隙ｔは接続内管２の下流側における肉厚によって形成される。
【００２５】
上述のように形成した多重管１１は複数の透水性多孔外管１，１が、穿設直後の拡径ボーリング孔１０の孔壁に沿って挿入され、該孔壁は該多孔外管１，１によって直接支持される。
【００２６】
又該多孔外管１，１の接続内管２の中程に露出した水膨張性ゴム３は吸水して膨張し、上記孔壁に圧着して上下流側の透水性多孔外管１，１の中間において地下水を堰き止め分流し、上流の上記間隔Ｔの空間に透導する。
【００２７】
そして上記間隔Ｔから接続内管２に入り不透水性無孔内管４を経て下流側の間隔Ｔに至る集水路が形成され、
【００２８】
地すべりブロック内の地下水は地表８の外側及び集水井から排水孔を介して地表の外側に排除される。
【００２９】
尚図中２ａで示すものは接続内管２の中程内周面に形成した不透水性無孔内管４の上流端支持段、図１中１１’は地表外に突出させた透水性多孔外管１１の下端部、１２は傾斜開口面、１３は該開口面１２の上端部に遊支した逆止弁である。
【００３０】
尚図３中１４は多孔外管１中の集水面、１４’は外孔外管１外の集水面、１５は先端コーンである。
【産業上の利用可能性】
【００３１】
本発明は地すべり土塊内に地表及び集水井内から上向勾配に穿設した拡径ボーリングロッド、ケーシングを地表に引き抜いた後、迅速に透水性多孔外管１，１を嵌挿し、各透水性多孔外管１毎の集水を比較的大径の不透水性無孔内管４及び間隔Ｔを経て地下水の多量排水を行い得るものである。
【図面の簡単な説明】
【００３２】
【図１】本発明の地下水集水多重管の施工状態縦断面図である。
【図２】図１の一部拡大縦断面図である。
【図３】地盤内におけるパッカー膨隆状態を示すもので図１Ａ−Ａ線による左側面図である。
【符号の説明】
【００３３】
１          多孔外管
２          接続内管
２’        入口
ｃ          共通中心線
３          水膨張ゴム
４          無孔内管
４’        開口
Ｔ          間隔
ｔ          集水間隙
５          環状突条
【図１】
2008045271.tif 000003
【図２】
2008045271.tif 000004
【図３】
2008045271.tif 000005